(57)【要約】【課題】ユーザーは一目で共通の空き時間を判別することができるスケジュール管理システムを提供する。【解決手段】スケジュール管理システム１００のユーザー端末のブラウザ１２２が、サーバ１１０に基づいてユーザーのスケジュール情報を有した第１スケジュール画面１２３を表示し、第１スケジュール画面が、列方向に並べて複数のユーザー名を表示し、行方向に並べて時間的要素を表示し、ユーザー毎にスケジュール情報の有無をマス形式で色分けして表示し、マス毎において、ユーザーにスケジュール情報があるマスを第１所定色で表示し、同じ時間帯のマスにおいて複数のユーザーのうち少なくとも１人にスケジュール情報があると、第１所定色のマスのユーザー以外であるその他のユーザーのマスを第２所定色で表示し、同じ時間帯のマスにおいて複数のユーザーのうち全てのユーザーにスケジュール情報がないと、全てのユーザーのマスを第３所定色で表示する。【選択図】図１
2020187392.tif 000002
【特許請求の範囲】
【請求項１】
サーバに保存されたユーザーのスケジュール情報をユーザー端末において表示するスケジュール管理システムであって、
前記ユーザー端末の表示部に表示されるブラウザが、前記サーバのデータベースに基づいてユーザーのスケジュール情報を有した第１スケジュール画面を表示し、
前記第１スケジュール画面が、行方向および列方向の一方に並べて複数のユーザー名を表示し、行方向および列方向の他方に並べて時間的要素を表示し、ユーザー毎にスケジュール情報の有無をマス形式で色分けして表示し、マス毎において、ユーザーにスケジュール情報があるマスを第１所定色で表示し、同じ時間帯のマスにおいて複数のユーザーのうち少なくとも１人についてスケジュール情報があると、第１所定色のマスのユーザー以外であるその他のユーザーのマスを第２所定色で表示し、同じ時間帯のマスにおいて複数のユーザーのうち全てのユーザーについてスケジュール情報がないと、全てのユーザーのマスを第３所定色で表示する構成であることを特徴とするスケジュール管理システム。
【請求項２】
前記第１スケジュール画面が、複数のユーザー毎に対応して選択ボックスを表示し、
前記第２所定色で表示される対象の複数のユーザーが、前記選択ボックスによって選択自在な構成であることを特徴とする請求項１に記載のスケジュール管理システム。
【請求項３】
前記第１スケジュール画面が、行方向および列方向の一方に並べて複数のユーザー名だけでなく、会議室名をも表示するとともに会議室に対応して選択ボックスを表示し、会議室の空き状況のスケジュール情報をも表示する構成であることを特徴とする請求項２に記載のスケジュール管理システム。
【請求項４】
前記第１スケジュール画面が、前記時間的要素として１週間分の曜日および各曜日の時間帯をマス形式で表示する構成であることを特徴とする請求項１乃至請求項３のいずれか１つに記載のスケジュール管理システム。
【請求項５】
前記第１スケジュール画面が、列方向に並べて複数のユーザー名を表示し、行方向に並べて時間的要素を表示する構成であることを特徴とする請求項１乃至請求項４のいずれか１つに記載のスケジュール管理システム。
【請求項６】
前記ブラウザが、所定操作によって、第１スケジュール画面と、受付用の第２スケジュール画面とを切り替え自在であり、
前記受付用の第２スケジュール画面が、列方向に並べて複数のユーザー名と時間的要素とを対応させてそれぞれを表示し、時間的要素を列方向に時系列に並べて表示する構成であることを特徴とする請求項１乃至請求項５のいずれか１つに記載のスケジュール管理システム。
【請求項７】
サーバに保存されたユーザーのスケジュール情報をユーザー端末において表示するスケジュール管理システムのプログラムであって、
前記ユーザー端末の表示部に表示されるブラウザが、前記サーバのデータベースに基づいてユーザーのスケジュール情報を有した第１スケジュール画面を表示し、
前記第１スケジュール画面が、行方向および列方向の一方に並べて複数のユーザー名を表示し、行方向および列方向の他方に並べて時間的要素を表示し、ユーザー毎にスケジュール情報の有無をマス形式で色分けして表示し、マス毎において、ユーザーにスケジュール情報があるマスを第１所定色で表示する構成において、
同じ時間帯のマスにおいて複数のユーザーのうち少なくとも１人についてスケジュール情報があるか否かを判定するスケジュール有無判定ステップと、
同じ時間帯のマスにおいて複数のユーザーのうち少なくとも１人についてスケジュール情報ありのとき、第１所定色のマスのユーザー以外であるその他のユーザーのマスを第２所定色で表示し、同じ時間帯のマスにおいて複数のユーザーのうち全てのユーザーについてスケジュール情報なしのとき、全てのユーザーのマスを第３所定色で表示する表示ステップとを具備していることを特徴とするスケジュール管理システムのプログラム。
【発明の詳細な説明】
【技術分野】
【０００１】
本発明は、サーバに保存されたユーザーのスケジュール情報をユーザー端末において表示するスケジュール管理システム、および、そのプログラムに関する。
【背景技術】
【０００２】
従来、情報を表示する表示部、スケジュール情報を入力する入力端末と、入力されたスケジュール情報を送信し、遠隔地にて入力されたスケジュール情報を受信する通信部と、入力されたスケジュール情報及び受信したスケジュール情報を、表示部に表示させる制御部とを備えて、個人もしくは複数名のスケジュールを表示する表示装置が知られている（例えば、特許文献１）。
【先行技術文献】
【特許文献】
【０００３】
【特許文献１】特開２０１７−０１５８５８号公報（特に図２参照）
【発明の概要】
【発明が解決しようとする課題】
【０００４】
しかしながら、上述した従来の表示装置は、複数名のスケジュールをただ単に同一画面に並べて表示する構成であったため、複数名が多数名であった場合にユーザーは一目で共通の空き時間を判別することが困難であるという問題があった。
【０００５】
そこで、本発明は、前述したような従来技術の問題を解決するものであって、すなわち、本発明の目的は、特に複数名が多数名であった場合であってもユーザーは一目で共通の空き時間を判別することができるスケジュール管理システム、およびそのプログラムを提供することである。
【課題を解決するための手段】
【０００６】
本請求項１に係る発明は、サーバに保存されたユーザーのスケジュール情報をユーザー端末において表示するスケジュール管理システムであって、前記ユーザー端末の表示部に表示されるブラウザが、前記サーバのデータベースに基づいてユーザーのスケジュール情報を有した第１スケジュール画面を表示し、前記第１スケジュール画面が、行方向および列方向の一方に並べて複数のユーザー名を表示し、行方向および列方向の他方に並べて時間的要素を表示し、ユーザー毎にスケジュール情報の有無をマス形式で色分けして表示し、マス毎において、ユーザーにスケジュール情報があるマスを第１所定色で表示し、同じ時間帯のマスにおいて複数のユーザーのうち少なくとも１人についてスケジュール情報があると、第１所定色のマスのユーザー以外であるその他のユーザーのマスを第２所定色で表示し、同じ時間帯のマスにおいて複数のユーザーのうち全てのユーザーについてスケジュール情報がないと、全てのユーザーのマスを第３所定色で表示する構成であることにより、前述した課題を解決するものである。
【０００７】
本請求項２に係る発明は、請求項１に記載されたスケジュール管理システムの構成に加えて、前記第１スケジュール画面が、複数のユーザー毎に対応して選択ボックスを表示し、前記第２所定色で表示される対象の複数のユーザーが、前記選択ボックスによって選択自在な構成であることにより、前述した課題をさらに解決するものである。
【０００８】
本請求項３に係る発明は、請求項２に記載されたスケジュール管理システムの構成に加えて、前記第１スケジュール画面が、行方向および列方向の一方に並べて複数のユーザー名だけでなく、会議室名をも表示するとともに会議室に対応して選択ボックスを表示し、会議室の空き状況のスケジュール情報をも表示する構成であることにより、前述した課題をさらに解決するものである。
【０００９】
本請求項４に係る発明は、請求項１乃至請求項３のいずれか１つに記載されたスケジュール管理システムの構成に加えて、前記第１スケジュール画面が、前記時間的要素として１週間分の曜日および各曜日の時間帯をマス形式で表示する構成であることにより、前述した課題をさらに解決するものである。
【００１０】
本請求項５に係る発明は、請求項１乃至請求項４のいずれか１つに記載されたスケジュール管理システムの構成に加えて、前記第１スケジュール画面が、列方向に並べて複数のユーザー名を表示し、行方向に並べて時間的要素を表示する構成であることにより、前述した課題をさらに解決するものである。
【００１１】
本請求項６に係る発明は、請求項１乃至請求項５のいずれか１つに記載されたスケジュール管理システムの構成に加えて、前記ブラウザが、所定操作によって、第１スケジュール画面と、受付用の第２スケジュール画面とを切り替え自在であり、前記受付用の第２スケジュール画面が、列方向に並べて複数のユーザー名と時間的要素とを対応させてそれぞれを表示し、時間的要素を列方向に時系列に並べて表示する構成であることにより、前述した課題をさらに解決するものである。
【００１２】
本請求項７に係る発明は、サーバに保存されたユーザーのスケジュール情報をユーザー端末において表示するスケジュール管理システムのプログラムであって、前記ユーザー端末の表示部に表示されるブラウザが、前記サーバのデータベースに基づいてユーザーのスケジュール情報を有した第１スケジュール画面を表示し、前記第１スケジュール画面が、行方向および列方向の一方に並べて複数のユーザー名を表示し、行方向および列方向の他方に並べて時間的要素を表示し、ユーザー毎にスケジュール情報の有無をマス形式で色分けして表示し、マス毎において、ユーザーにスケジュール情報があるマスを第１所定色で表示する構成において、同じ時間帯のマスにおいて複数のユーザーのうち少なくとも１人についてスケジュール情報があるか否かを判定するスケジュール有無判定ステップと、同じ時間帯のマスにおいて複数のユーザーのうち少なくとも１人についてスケジュール情報ありのとき、第１所定色のマスのユーザー以外であるその他のユーザーのマスを第２所定色で表示し、同じ時間帯のマスにおいて複数のユーザーのうち全てのユーザーについてスケジュール情報なしのとき、全てのユーザーのマスを第３所定色で表示する表示ステップとを具備していることにより、前述した課題を解決するものである。
【発明の効果】
【００１３】
本発明のスケジュール管理システムは、ユーザーのスケジュール情報を保存するサーバと、サーバと通信自在なユーザー端末とを備えていることにより、サーバに保存されたユーザーのスケジュール情報をユーザー端末において表示することができるばかりでなく、以下のような特有の効果を奏することができる。
【００１４】
本請求項１に係る発明のスケジュール管理システムによれば、複数のユーザーの共通の空き時間帯が第３所定色で表示されるため、ユーザーは一目で共通の空き時間を判別でき、必要に応じて新たなスケジュール情報を登録することができる。
特に複数のユーザーが多数である場合であってもブラウザを操作するユーザーは一目で共通の空き時間を判別できる。
【００１５】
本請求項２に係る発明のスケジュール管理システムによれば、請求項１に係る発明が奏する効果に加えて、選択ボックスによって複数のユーザーが選択自在に切り替えられて第２所定色と第３所定色との表示が切り替わるため、複数のユーザーのうち誰が調整困難であるかを簡単に把握することができる。
【００１６】
本請求項３に係る発明のスケジュール管理システムによれば、請求項２に係る発明が奏する効果に加えて、複数のユーザーだけでなくミーティングに必要な会議室の空き状況も表示されるため、ユーザーはミーティングメンバーだけでなく会議室についても一目で共通の空き時間を判別でき、必要に応じて新たなスケジュール情報を登録することができる。
【００１７】
本請求項４に係る発明のスケジュール管理システムによれば、請求項１乃至請求項３のいずれか１つに係る発明が奏する効果に加えて、１週間分のスケジュール情報が１つの第１スケジュール画面に表示されるため、ユーザーにとって見やすくすることができる。
【００１８】
本請求項５に係る発明のスケジュール管理システムによれば、請求項１乃至請求項４のいずれか１つに係る発明が奏する効果に加えて、時系列が横方向となるため、どの時間帯が空いているのかをユーザーにとって見やすくすることができる。
【００１９】
本請求項６に係る発明のスケジュール管理システムによれば、請求項１乃至請求項５のいずれか１つに係る発明が奏する効果に加えて、時間的要素が列方向に時系列に並べられて表示されるため、受付担当者は次の予定や２つ先の予定などを簡単に確認・把握することができる。
【００２０】
本請求項７に係る発明のスケジュール管理システムのプログラムによれば、請求項１に係る発明が奏する効果と同様、複数のユーザーの共通の空き時間帯が第３所定色で表示されるため、ユーザーは一目で共通の空き時間を判別でき、必要に応じて新たなスケジュール情報を登録することができる。
【図面の簡単な説明】
【００２１】
【図１】本発明の実施例であるスケジュール管理システムの概略を示す図。
【図２】本発明の実施例であるスケジュール管理システムの動作を示すチャート図。
【図３】本発明の実施例であるスケジュール管理システムの第１スケジュール画面を示す図。
【図４】本発明の実施例であるスケジュール管理システムの第２スケジュール画面を示す図。
【発明を実施するための形態】
【００２２】
本発明のスケジュール管理システムは、サーバと、ユーザー端末とを備え、ユーザー端末の表示部に表示されるブラウザが、サーバのデータベースに基づいてユーザーのスケジュール情報を有した第１スケジュール画面を表示し、第１スケジュール画面が、行方向および列方向の一方に並べて複数のユーザー名を表示し、行方向および列方向の他方に並べて時間的要素を表示し、ユーザー毎にスケジュール情報の有無をマス形式で色分けして表示し、マス毎において、ユーザーにスケジュール情報があるマスを第１所定色で表示し、同じ時間帯のマスにおいて複数のユーザーのうち少なくとも１人についてスケジュール情報があると、第１所定色のマスのユーザー以外であるその他のユーザーのマスを第２所定色で表示し、同じ時間帯のマスにおいて複数のユーザーのうち全てのユーザーについてスケジュール情報がないと、全てのユーザーのマスを第３所定色で表示する構成であることにより、ユーザーは一目で共通の空き時間を判別でき、必要に応じて新たなスケジュール情報を登録することができるものであれば、その具体的な実施態様は、如何なるものであっても構わない。
また、本発明のスケジュール管理システムのプログラムは、ユーザー端末の表示部に表示されるブラウザが、サーバのデータベースに基づいてユーザーのスケジュール情報を有した第１スケジュール画面を表示し、第１スケジュール画面が、行方向および列方向の一方に並べて複数のユーザー名を表示し、行方向および列方向の他方に並べて時間的要素を表示し、ユーザー毎にスケジュール情報の有無をマス形式で色分けして表示し、マス毎において、ユーザーにスケジュール情報があるマスを第１所定色で表示する構成において、同じ時間帯のマスにおいて複数のユーザーのうち少なくとも１人についてスケジュール情報があるか否かを判定するスケジュール有無判定ステップと、同じ時間帯のマスにおいて複数のユーザーのうち少なくとも１人についてスケジュール情報ありのとき、第１所定色のマスのユーザー以外であるその他のユーザーのマスを第２所定色で表示し、同じ時間帯のマスにおいて複数のユーザーのうち全てのユーザーについてスケジュール情報なしのとき、全てのユーザーのマスを第３所定色で表示する表示ステップとを具備していることにより、ユーザーは一目で共通の空き時間を判別でき、必要に応じて新たなスケジュール情報を登録することができるものであれば、その具体的な実施態様は、如何なるものであっても構わない。
【００２３】
例えば、ユーザー端末は、デスクトップ型パーソナルコンピュータ端末、ノート型パーソナルコンピュータ端末、スマートフォン端末、タブレット端末など表示部と操作部とを有して情報を送受信するものであって、所謂インターネットである広域ネットワーク、ローカルネットワーク、電話回線などを含む通信ネットワークによりサーバと接続自在なものであれば如何なるものであっても構わない。
また、サーバは、１つのサーバやクラウド上の複数のサーバでもよい。
さらに、第１所定色、第２所定色、第３所定色の互いの関係は、色相、明度、彩度のいずれかが異なる関係でもよいし、模様が異なる関係や、ドットの大きさが異なる関係でもよく、ユーザーが視覚的に区別・判別できる関係であればよい。
【実施例】
【００２４】
以下に、本発明の実施例であるスケジュール管理システム１００およびそのプログラムについて、図１乃至図４に基づいて説明する。
ここで、図１は、本発明の実施例であるスケジュール管理システム１００の概略を示す図であり、図２は、本発明の実施例であるスケジュール管理システム１００の動作を示すチャート図であり、図３は、本発明の実施例であるスケジュール管理システム１００の第１スケジュール画面１２３を示す図であり、図４は、本発明の実施例であるスケジュール管理システム１００の第２スケジュール画面１２４を示す図である。
【００２５】
本発明の実施例であるスケジュール管理システム１００（カレンダーシステムともいう）は、図１に示すように、サーバ１１０と、ユーザー端末の一例であるコンピュータ端末１２０とを備えている。
このうち、サーバ１１０は、ユーザーのスケジュール情報を保存するデータベース１１１を有している。
また、コンピュータ端末１２０は、サーバ１１０と通信自在であり、データベース１１１に保存されたユーザーのスケジュール情報に基づいて、ユーザーのスケジュール情報を表示部１２１に表示されるブラウザ１２２を用いて表示するように構成されている。
【００２６】
本実施例では、ユーザーのコンピュータ端末１２０の表示部１２１に表示されるブラウザ１２２が、サーバ１１０のデータベース１１１に基づいてユーザーのスケジュール情報を有した第１スケジュール画面１２３を表示するように構成されている。
第１スケジュール画面１２３が、行方向Ｘおよび列方向Ｙの一方の一例として列方向Ｙに並べて複数のユーザー名１２３ａを表示し、行方向Ｘおよび列方向Ｙの他方の一例として行方向Ｘに並べて時間的要素１２３ｄを表示する。
【００２７】
さらに、ユーザー毎にスケジュール情報の有無をマス形式で色分けして表示し、マス毎において、ユーザーにスケジュール情報があるマスを第１所定色の一例である青色で表示する。
また、同じ時間帯のマスにおいて複数のユーザーのうち少なくとも１人についてスケジュール情報があると、第１所定色の一例である青色のマスのユーザー以外であるその他のユーザーのマスを第２所定色の一例である灰色で表示する。
他方、同じ時間帯のマスにおいて複数のユーザーのうち全てのユーザーについてスケジュール情報がないと、全てのユーザーのマスを第３所定色の一例である白色で表示するように構成されている。
【００２８】
より具体的には、図１に示すように、第１スケジュール画面１２３は、日ビュー表示として、複数のユーザー名１２３ａを列方向Ｙである縦方向に並べて表示し、時間的要素１２３ｄとして１日の８時から２３時の時間を表示している。
そして、各ユーザーについて、８時から２３時のスケジュール情報の有無をマス形式で表示するように構成されている。
これにより、複数のユーザーの共通の空き時間帯が第３所定色の一例である白色で表示される。
その結果、ユーザーは一目で共通の空き時間を判別でき、必要に応じて新たなスケジュール情報を登録することができる。
特に複数のユーザーが多数である場合であっても、ブラウザ１２２を操作するユーザーは一目で共通の空き時間を判別できる。
【００２９】
なお、ユーザーが、マウスを操作してカーソルをマスの箇所に合わせて右クリックの操作や、タッチパネル式であればマスの箇所を指でタップ操作することにより、マスの箇所の時間帯についてのスケジュール情報を入力自在な入力画面が開くように構成されている。
ユーザーが所望のスケジュール情報を入力して図示しない登録ボタンを押すことにより、コンピュータ端末１２０が、新たなスケジュール情報をサーバ１１０へ送信する。
そして、サーバ１１０が、コンピュータ端末１２０から受信した新たなスケジュール情報をデータベース１１１に保存するように構成されている。
【００３０】
続いて、スケジュール管理システム１００のプログラムの動作について説明する。
ユーザーが、コンピュータ端末１２０において、ブラウザ１２２を起動させて、スケジュール管理システム１００にＩＤやパスワードを入力してログインする。
すると、図２に示すように、ステップＳ１では、コンピュータ端末１２０の制御部が、ブラウザ１２２を用いてサーバ１１０にアクセスする。
そして、サーバ１１０のデータベース１１１にある複数のユーザーのスケジュール情報を読み込む。
【００３１】
ステップＳ２では、スケジュール有無判定ステップとして、同じ時間帯のマスにおいて複数のユーザーのうち少なくとも１人についてスケジュール情報があるか否かを、コンピュータ端末１２０の制御部（スケジュール管理システム１００のプログラム）が判定する。
ここで、マス毎において、ユーザーにスケジュール情報があると判定した場合はステップＳ３へ進み、同じ時間帯のマスにおいて複数のユーザーのうち少なくとも１人についてスケジュール情報あり、言い換えると、同じ時間帯のマスにおいてスケジュール情報があると判定されたユーザー以外の他のユーザーがいると判定した場合はステップＳ４へ進み、同じ時間帯のマスにおいて複数のユーザーのうち全てのユーザーについてスケジュール情報なしと判定した場合はステップＳ５へ進む。
【００３２】
ステップＳ３では、表示ステップとして、ユーザーにスケジュール情報があるマスを第１所定色の一例である青色で表示するように、コンピュータ端末１２０の制御部（スケジュール管理システム１００のプログラム）が制御する。
ステップＳ４では、表示ステップとして、青色で表示したマスと同じ時間帯のマスにおいて第１所定色の一例である青色のマスのユーザー以外であるその他のユーザーのマスを第２所定色の一例である灰色で表示するように、コンピュータ端末１２０の制御部（スケジュール管理システム１００のプログラム）が制御する。
ステップＳ５では、表示ステップとして、同じ時間帯のマスにおける全てのユーザーのマスを第３所定色の一例である白色で表示するように、コンピュータ端末１２０の制御部（スケジュール管理システム１００のプログラム）が制御する。
【００３３】
これにより、前述したように、複数のユーザーの共通の空き時間帯が第３所定色の一例である白色で表示される。
その結果、ユーザーは一目で共通の空き時間を判別でき、必要に応じて新たなスケジュール情報を登録することができる。
【００３４】
また、ユーザーがブラウザ１２２に表示された第１スケジュール画面１２３における図示しない第１所定ボタンを操作することにより、日ビュー表示と週ビュー表示とが切り替え自在に構成されている。
図３に示すように、第１スケジュール画面１２３の週ビュー表示は、時間的要素１２３ｄとして１週間分の曜日および各曜日の時間帯をマス形式で表示するように構成されている。
これにより、１週間分のスケジュール情報が１つの第１スケジュール画面１２３に表示される。
その結果、ユーザーにとって見やすくすることができる。
【００３５】
さらに、第１スケジュール画面１２３が、複数のユーザー毎に対応して選択ボックス１２３ｃを表示し、第２所定色の一例である灰色で表示される対象の複数のユーザーが、選択ボックス１２３ｃによって選択自在な構成である。
これにより、選択ボックス１２３ｃによって複数のユーザーが選択自在に切り替えられて第２所定色の一例である灰色と第３所定色の一例である白色との表示が切り替わる。
その結果、複数のユーザーのうち誰が調整困難であるかを操作するユーザーは簡単に把握することができる。
【００３６】
また、第１スケジュール画面１２３が、行方向Ｘおよび列方向Ｙの一方の一例である列方向Ｙに並べて複数のユーザー名１２３ａだけでなく、会議室名１２３ｂをも表示するとともに会議室に対応して選択ボックス１２３ｃを表示する。
そして、会議室の空き状況のスケジュール情報をも表示するように構成されている。
これにより、複数のユーザーだけでなくミーティングに必要な会議室の空き状況も表示される。
その結果、ユーザーはミーティングメンバーだけでなく会議室についても一目で共通の空き時間を判別でき、必要に応じて新たなスケジュール情報を登録することができる。
【００３７】
さらに、第１スケジュール画面１２３が、列方向Ｙである縦方向に並べて複数のユーザー名１２３ａを表示し、行方向Ｘである横方向に並べて時間的要素１２３ｄを表示するように構成されている。
これにより、時系列が横方向となる。
その結果、どの時間帯が空いているのかを、ユーザーにとって見やすくすることができる。
【００３８】
また、ユーザーがブラウザ１２２に表示された第１スケジュール画面１２３における図示しない第２所定ボタンを操作することにより、第１スケジュール画面１２３と、受付用の第２スケジュール画面１２４とが切り替え自在に構成されている。
言い換えると、ブラウザ１２２が、所定操作である図示しない第２所定ボタンの操作によって、第１スケジュール画面１２３と、受付用の第２スケジュール画面１２４とを切り替え自在に構成されている。
図４に示すように、受付用の第２スケジュール画面１２４は、サーバ１１０のデータベース１１１にある各ユーザーのスケジュール情報に基づいて、列方向Ｙである縦方向に並べて複数のユーザー名情報１２４ａと開始時刻情報１２４ｂとを対応させてそれぞれを表示し、開始時刻情報１２４ｂを列方向Ｙである縦方向に時系列に並べて表示するように構成されている。
【００３９】
より具体的には、各ユーザーの日ビュー表示に表示される情報の中から、会議室を利用するユーザーの情報や、打合せ、会議の件名を有した情報を抽出して受付用の第２スケジュール画面１２４に表示するように構成されている。
カレンダー名の項目には、各ユーザーの名前であるユーザー名情報１２４ａが列方向Ｙである縦方向に並べて表示される。
ユーザー名情報１２４ａは、第１スケジュール画面１２３の日ビュー表示のユーザー名１２３ａと対応している。
【００４０】
開始の項目には、打合せ、会議の開始予定時刻である開始時刻情報１２４ｂが表示される。
開始時刻情報１２４ｂが表示される開始の項目は、第１スケジュール画面１２３の時間的要素１２３ｄと対応している。
終了の項目には、打合せ、会議の終了予定時刻が表示される。
件名の項目には、打合せ、会議などのタイトル情報が表示される。
場所の項目には、会議室の名称などの打合せ、会議などの場所についての情報が表示される。
【００４１】
それぞれの情報は、各ユーザー名情報１２４ａと対応してサーバ１１０のデータベース１１１に登録されている。
そして、開始の項目の開始時刻情報１２４ｂが、列方向Ｙである縦方向に時系列に並ぶように、開始の項目の開始時刻情報１２４ｂを基準として、ユーザー名情報１２４ａなど各項目の情報が表示されるように構成されている。
【００４２】
これにより、時間的要素１２３ｄである開始時刻情報１２４ｂが列方向Ｙである縦方向に時系列に並べられて表示される。
その結果、受付担当者は次の予定や２つ先の予定などを簡単に確認・把握することができる。
なお、開始の項目の開始時刻情報１２４ｂについて、縦方向上から下へ向かって早い時刻から遅い時刻の順に並べて表示する構成としたが逆の順でもよい。
例えば、縦方向下から上へ向かって早い時刻から遅い時刻の順に並べて表示する構成でもよい。
また、ユーザーが終了の項目をクリックなどの操作によって選択した場合、終了の項目の終了時刻情報が、列方向Ｙである縦方向に時系列に並ぶように、終了の項目の終了時刻情報を基準として、ユーザー名情報１２４ａなど各項目の情報が表示されるように構成されている。
この際、終了の項目の終了時刻情報について、縦方向上から下へ向かって早い時刻から遅い時刻の順に並べて表示してもよいし逆の順でもよい。
さらに、受付用の第２スケジュール画面１２４について、第１スケジュール画面１２３がある構成を前提として説明したが、第１スケジュール画面１２３がない構成でもよい。
言い換えると、ブラウザ１２２が、第１スケジュール画面１２３と受付用の第２スケジュール画面１２４とを切り替え自在ではなく、単独で受付用の第２スケジュール画面１２４を表示する構成でもよい。
【００４３】
このようにして得られた本発明の実施例であるスケジュール管理システム１００は、サーバ１１０と、ユーザー端末の一例であるコンピュータ端末１２０とを有し、ユーザーのコンピュータ端末１２０の表示部１２１に表示されるブラウザ１２２が、サーバ１１０のデータベース１１１に基づいてユーザーのスケジュール情報を有した第１スケジュール画面１２３を表示し、第１スケジュール画面１２３が、行方向Ｘおよび列方向Ｙの一方に並べて複数のユーザー名１２３ａを表示し、行方向Ｘおよび列方向Ｙの他方に並べて時間的要素１２３ｄを表示し、ユーザー毎にスケジュール情報の有無をマス形式で色分けして表示し、マス毎において、ユーザーにスケジュール情報があるマスを第１所定色の一例である青色で表示し、同じ時間帯のマスにおいて複数のユーザーのうち少なくとも１人についてスケジュール情報があると、第１所定色の一例である青色のマスのユーザー以外であるその他のユーザーのマスを第２所定色の一例である灰色で表示し、同じ時間帯のマスにおいて複数のユーザーのうち全てのユーザーについてスケジュール情報がないと、全てのユーザーのマスを第３所定色の一例である白色で表示する構成であることにより、ユーザーは一目で共通の空き時間を判別でき、必要に応じて新たなスケジュール情報を登録することができる。
【００４４】
さらに、第１スケジュール画面１２３が、複数のユーザー毎に対応して選択ボックス１２３ｃを表示し、第２所定色の一例である灰色で表示される対象の複数のユーザーが、選択ボックス１２３ｃによって選択自在な構成であることにより、複数のユーザーのうち誰が調整困難であるかを簡単に把握することができる。
【００４５】
また、第１スケジュール画面１２３が、行方向Ｘおよび列方向Ｙの一方に並べて複数のユーザー名１２３ａだけでなく、会議室名１２３ｂをも表示するとともに会議室に対応して選択ボックス１２３ｃを表示し、会議室の空き状況のスケジュール情報をも表示する構成であることにより、ユーザーはミーティングメンバーだけでなく会議室についても一目で共通の空き時間を判別でき、必要に応じて新たなスケジュール情報を登録することができる。
【００４６】
さらに、第１スケジュール画面１２３が、時間的要素１２３ｄとして１週間分の曜日および各曜日の時間帯をマス形式で表示する構成であることにより、ユーザーにとって見やすくすることができる。
【００４７】
また、第１スケジュール画面１２３が、列方向Ｙに並べて複数のユーザー名１２３ａを表示し、行方向Ｘに並べて時間的要素１２３ｄを表示する構成であることにより、どの時間帯が空いているかをユーザーにとって見やすくすることができる。
【００４８】
さらに、ブラウザ１２２が、所定操作によって、第１スケジュール画面１２３と、受付用の第２スケジュール画面１２４とを切り替え自在であり、受付用の第２スケジュール画面１２４が、列方向Ｙに並べて複数のユーザー名１２３ａに対応したユーザー名情報１２４ａと時間的要素１２３ｄに対応した開始時刻情報１２４ｂとを対応させてそれぞれを表示し、開始時刻情報１２４ｂを列方向Ｙに時系列に並べて表示する構成であることにより、受付担当者は次の予定や２つ先の予定などを簡単に確認・把握することができる。
【００４９】
また、本発明の実施例であるスケジュール管理システム１００のプログラムは、ユーザーのコンピュータ端末１２０の表示部１２１に表示されるブラウザ１２２が、サーバ１１０のデータベース１１１に基づいてユーザーのスケジュール情報を有した第１スケジュール画面１２３を表示し、第１スケジュール画面１２３が、行方向Ｘおよび列方向Ｙの一方に並べて複数のユーザー名１２３ａを表示し、行方向Ｘおよび列方向Ｙの他方に並べて時間的要素１２３ｄを表示し、ユーザー毎にスケジュール情報の有無をマス形式で色分けして表示し、マス毎において、ユーザーにスケジュール情報があるマスを第１所定色の一例である青色で表示する構成において、同じ時間帯のマスにおいて複数のユーザーのうち少なくとも１人についてスケジュール情報があるか否かを判定するスケジュール有無判定ステップＳ２と、同じ時間帯のマスにおいて複数のユーザーのうち少なくとも１人についてスケジュール情報ありのとき、第１所定色の一例である青色のマスのユーザー以外であるその他のユーザーのマスを第２所定色の一例である灰色で表示し、同じ時間帯のマスにおいて複数のユーザーのうち全てのユーザーについてスケジュール情報なしのとき、全てのユーザーのマスを第３所定色の一例である白色で表示する表示ステップＳ３、Ｓ４、Ｓ５とを具備していることにより、ユーザーは一目で共通の空き時間を判別でき、必要に応じて新たなスケジュール情報を登録することができるなど、その効果は甚大である。
【符号の説明】
【００５０】
１００  ・・・  スケジュール管理システム
１１０  ・・・  サーバ
１１１  ・・・  データベース
１２０  ・・・  コンピュータ端末（ユーザー端末）
１２１  ・・・  表示部
１２２  ・・・  ブラウザ
１２３  ・・・  第１スケジュール画面
１２３ａ・・・  ユーザー名
１２３ｂ・・・  会議室名
１２３ｃ・・・  選択ボックス
１２３ｄ・・・  時間的要素
１２４  ・・・  第２スケジュール画面
１２４ａ・・・  ユーザー名情報
１２４ｂ・・・  開始時刻情報
Ｘ      ・・・  行方向
Ｙ      ・・・  列方向
【図１】
2020187392.tif 000003
【図２】
2020187392.tif 000004
【図３】
2020187392.tif 000005
【図４】
2020187392.tif 000006